(57)【要約】【課題】高周波で動作するＤＣ／ＤＣコンバータ方式の電力変換装置において容易に欠相を検出することができる電力変換装置の制御装置を提供することである。【解決手段】動作停止手段１６は、出力電流Ｉが電流基準値Ｉ０以上のときに、誤差増幅手段１５の出力信号ΔＶが出力電流Ｉに比例した規定値以上に一定時間継続したとき欠相と判定しゲートパルス発生回路２２を停止する。これにより、欠相を高周波の電流波形で検知することに代えて、直流電圧と基準電圧値との電圧偏差で欠相を検出するようにしたので、欠相検出を容易に検出できる。【選択図】　図１
2004088894.tif 000002
【特許請求の範囲】
【請求項１】
ＤＣ／ＤＣコンバータ方式の電力変換装置の出力電圧とその電圧基準値との電圧偏差と鋸歯状波電圧との比較により、ゲートパルス発生回路にゲートパルス信号を出力し、前記電力変換装置のスイッチング素子のオン時間を制御する電力変換装置の制御装置において、前記電力変換装置の出力電流と電流基準値とを比較する電流比較手段と、前記電力変換装置の出力電圧と電圧基準値との電圧偏差に比例した信号を演算する誤差増幅手段と、前記電力変換装置の出力電流が電流基準値以上で、かつ前記誤差増幅手段の出力信号が前記出力電流に比例した規定値以上に一定時間継続したとき前記ゲートパルス発生回路を停止する動作停止手段とを備えたことを特徴とする電力変換装置の制御装置。
【請求項２】
ＤＣ／ＤＣコンバータ方式の電力変換装置の出力電圧とその電圧基準値との電圧偏差と鋸歯状波電圧との比較により、ゲートパルス発生回路にゲートパルス信号を出力し、前記電力変換装置のスイッチング素子のオン時間を制御する電力変換装置の制御装置において、前記電力変換装置の出力電流と電流基準値とを比較する電流比較手段と、前記電力変換装置の出力電圧と電圧基準値との電圧偏差に比例した信号を演算する誤差増幅手段と、前記電力変換装置の出力電流が電流基準値以上のとき、前記誤差増幅手段の出力信号と前記電力変換装置の入力フィルタコンデンサ電圧との積を前記出力電流で除算した値を求め、その値が前記出力電流の自然対数に係数を掛けた値から規定値を減算して求めた値以上に一定時間継続したとき前記ゲートパルス発生回路を停止する動作停止手段とを備えたことを特徴とする電力変換装置の制御装置。
【請求項３】
ＤＣ／ＤＣコンバータ方式の電力変換装置の出力電圧とその電圧基準値との電圧偏差と鋸歯状波電圧との比較により、ゲートパルス発生回路にゲートパルス信号を出力し、前記電力変換装置のスイッチング素子のオン時間を制御する電力変換装置の制御装置において、前記電力変換装置の出力電流と電流基準値とを比較する電流比較手段と、前記電力変換装置の出力電圧と電圧基準値との電圧偏差に比例した信号を演算する誤差増幅手段と、前記電力変換装置の出力電流が電流基準値以上のとき、前記誤差増幅手段の出力信号と前記電力変換装置の入力フィルタコンデンサ電圧との積を前記出力電流の所定べき乗で除算した値を求め、その値が規定値以上に一定時間継続したとき前記ゲートパルス発生回路を停止する動作停止手段とを備えたことを特徴とする電力変換装置の制御装置。
【請求項４】
ＤＣ／ＤＣコンバータ方式の電力変換装置の出力電圧とその電圧基準値との電圧偏差と鋸歯状波電圧との比較により、ゲートパルス発生回路にゲートパルス信号を出力し、前記電力変換装置のスイッチング素子のオン時間を制御する電力変換装置の制御装置において、前記電力変換装置の出力電流と電流基準値とを比較する電流比較手段と、前記電力変換装置の出力電圧と電圧基準値との電圧偏差に比例した信号を演算する誤差増幅手段と、前記電力変換装置の出力電流が電流基準値以上のとき、前記誤差増幅手段の出力信号を前記出力電流で除算した値を求め、その値が規定値以上に一定時間継続したとき前記ゲートパルス発生回路を停止する動作停止手段とを備えたことを特徴とする電力変換装置の制御装置。
【発明の詳細な説明】
【０００１】
【発明の属する技術分野】
本発明は、欠相検知回路を備えたＤＣ／ＤＣコンバータ方式の電力変換装置の制御装置に関する。
【０００２】
【従来の技術】
例えば、ＤＣ／ＤＣコンバータ方式の電力変換装置においては欠相検知回路が設けられ、ＤＣ／ＤＣコンバータを構成するスイッチング素子の不具合を検出するようにしている。スイッチング素子が欠相により不動作となると、ＤＣ／ＤＣコンバータのトランス一次電流が正または負のみにしか流れないので、欠相検知回路は、その状態を検出して欠相を検知している。
【０００３】
【発明が解決しようとする課題】
ところが、例えば、車両用電源装置に用いられるＤＣ／ＤＣコンバータは、スイッチング周波数がｋＨｚオーダと非常に高いので、高周波電流波形を正しく検出することが困難であり、欠相を適正に検出することができないことがあった。
【０００４】
本発明の目的は、高周波で動作するＤＣ／ＤＣコンバータ方式の電力変換装置において容易に欠相を検出することができる電力変換装置の制御装置を提供することである。
【０００５】
【課題を解決するための手段】
請求項１の発明に係る電力変換装置の制御装置は、ＤＣ／ＤＣコンバータ方式の電力変換装置の出力電圧とその電圧基準値との電圧偏差と鋸歯状波電圧との比較により、ゲートパルス発生回路にゲートパルス信号を出力し、前記電力変換装置のスイッチング素子のオン時間を制御する電力変換装置の制御装置において、前記電力変換装置の出力電流と電流基準値とを比較する電流比較手段と、前記電力変換装置の出力電圧と電圧基準値との電圧偏差に比例した信号を演算する誤差増幅手段と、前記電力変換装置の出力電流が電流基準値以上で、かつ前記誤差増幅手段の出力信号が前記出力電流に比例した規定値以上に一定時間継続したとき前記ゲートパルス発生回路を停止する動作停止手段とを備えたことを特徴とする。
【０００６】
請求項１の発明に係る電力変換装置の制御装置においては、動作停止手段は、出力電流が電流基準値以上のときに、誤差増幅手段の出力信号が出力電流に比例した規定値以上に一定時間継続したとき欠相と判定しゲートパルス発生回路を停止する。
【０００７】
請求項２の発明に係る電力変換装置の制御装置は、ＤＣ／ＤＣコンバータ方式の電力変換装置の出力電圧とその電圧基準値との電圧偏差と鋸歯状波電圧との比較により、ゲートパルス発生回路にゲートパルス信号を出力し、前記電力変換装置のスイッチング素子のオン時間を制御する電力変換装置の制御装置において、前記電力変換装置の出力電流と電流基準値とを比較する電流比較手段と、前記電力変換装置の出力電圧と電圧基準値との電圧偏差に比例した信号を演算する誤差増幅手段と、前記電力変換装置の出力電流が電流基準値以上のとき、前記誤差増幅手段の出力信号と前記電力変換装置の入力フィルタコンデンサ電圧との積を前記出力電流で除算した値を求め、その値が前記出力電流の自然対数に係数を掛けた値から規定値を減算して求めた値以上に一定時間継続したとき前記ゲートパルス発生回路を停止する動作停止手段とを備えたことを特徴とする。
【０００８】
請求項２の発明に係る電力変換装置の制御装置においては、動作停止手段は、電力変換装置の出力電流が電流基準値以上のとき、誤差増幅手段の出力信号と電力変換装置の入力フィルタコンデンサ電圧との積を出力電流で除算した値を求め、その値が出力電流の自然対数に係数を掛けた値から規定値を減算して求めた値以上に一定時間継続したとき欠相と判定しゲートパルス発生回路を停止する。
【０００９】
請求項３の発明に係る電力変換装置の制御装置は、ＤＣ／ＤＣコンバータ方式の電力変換装置の出力電圧とその電圧基準値との電圧偏差と鋸歯状波電圧との比較により、ゲートパルス発生回路にゲートパルス信号を出力し、前記電力変換装置のスイッチング素子のオン時間を制御する電力変換装置の制御装置において、前記電力変換装置の出力電流と電流基準値とを比較する電流比較手段と、前記電力変換装置の出力電圧と電圧基準値との電圧偏差に比例した信号を演算する誤差増幅手段と、前記電力変換装置の出力電流が電流基準値以上のとき、前記誤差増幅手段の出力信号と前記電力変換装置の入力フィルタコンデンサ電圧との積を前記出力電流の所定べき乗で除算した値を求め、その値が規定値以上に一定時間継続したとき前記ゲートパルス発生回路を停止する動作停止手段とを備えたことを特徴とする。
【００１０】
請求項３の発明に係る電力変換装置の制御装置においては、動作停止手段は、電力変換装置の出力電流が電流基準値以上のとき、誤差増幅手段の出力信号を出力電流で除算した値を求め、その値が規定値以上に一定時間継続したとき欠相と判定しゲートパルス発生回路を停止する。
【００１１】
請求項４の発明に係る電力変換装置の制御装置は、ＤＣ／ＤＣコンバータ方式の電力変換装置の出力電圧とその電圧基準値との電圧偏差と鋸歯状波電圧との比較により、ゲートパルス発生回路にゲートパルス信号を出力し、前記電力変換装置のスイッチング素子のオン時間を制御する電力変換装置の制御装置において、前記電力変換装置の出力電流と電流基準値とを比較する電流比較手段と、前記電力変換装置の出力電圧と電圧基準値との電圧偏差に比例した信号を演算する誤差増幅手段と、前記電力変換装置の出力電流が電流基準値以上のとき、前記誤差増幅手段の出力信号を前記出力電流で除算した値を求め、その値が規定値以上に一定時間継続したとき前記ゲートパルス発生回路を停止する動作停止手段とを備えたことを特徴とする。
【００１２】
請求項４の発明に係る電力変換装置の制御装置においては、動作停止手段は、電力変換装置の出力電流が電流基準値以上のとき、誤差増幅手段の出力信号を出力電流で除算した値を求め、その値が規定値以上に一定時間継続したとき欠相と判定しゲートパルス発生回路を停止する。
【００１３】
【発明の実施の形態】
以下、本発明の実施の形態を説明する。図１は本発明の第１の実施の形態に係る電力変換装置の制御装置のブロック構成図である。電力変換装置であるＤＣ／ＤＣコンバータ１１の出力電流Ｉは電流検出器１２で検出され、出力電圧Ｖは電圧検出器１３で検出される。出力電流Ｉは電流比較手段１４に入力され電流基準値Ｉ０と比較される。そして、出力電流Ｉが電流基準値Ｉ０以上となったときは論理値「１」を動作停止手段１６のＡＮＤ要素１９に出力する。一方、出力電圧Ｖは誤差増幅手段１５に入力され電圧基準値Ｖ０と比較される。そして、その差分に係数を乗算した電圧偏差ΔＶが演算され動作停止手段１６の電圧比較手段１７に入力される。電圧比較手段１７には、出力電流Ｉに対して係数手段１８に設定された係数を乗算して得られた規定値も入力され、電圧比較手段１７は、電圧偏差ΔＶがこの規定値ε以上か否かを判定し、電圧偏差ΔＶが規定値ε以上となったとき論理値「１」を動作停止手段１６のＡＮＤ要素１９に出力する。
【００１４】
すなわち、動作停止回路１６のＡＮＤ要素１９は、出力電流Ｉが電流基準値Ｉ０以上で、かつ誤差増幅手段１５の出力信号ΔＶが出力電流Ｉに比例した規定値ε以上になったとき、時素要素２０に論理値「１」の出力信号を出力する。時素要素２０ではＡＮＤ要素１９の出力信号が一定時間継続したときはゲートパルス制御部２１のゲートパルス発生回路２２の動作を停止させる。このように、動作停止手段１６は出力電流Ｉが電流基準値Ｉ０以上で、かつ誤差増幅手段１５の出力信号ΔＶが出力電流Ｉに比例した規定値ε以上に一定時間継続したとき、欠相であると判定しゲートパルス発生回路２２を停止することになる。
【００１５】
ここで、ゲートパルス制御部２１は、正常時は、鋸波状電圧発生回路２３および比較回路２４を有し、比較回路２４は、出力電圧Ｖとその電圧基準値Ｖ０との電圧偏差ΔＶと鋸歯状波電圧との比較により、ゲートパルス発生回路２２にゲートパルス信号を出力するようになっている。
【００１６】
図２は出力電流Ｉと誤差増幅手段１５の出力信号ΔＶとの関係を示した特性図である。正常時は特性曲線Ｓ１に示すように誤差増幅手段１５の出力信号ΔＶは小さく、欠相すると特性曲線Ｓ２に示すように出力信号ΔＶは大きくなる。ここで、特性曲線Ｓ１、Ｓ２に幅があるのは、電力変換装置であるＤＣ／ＤＣコンバータ１１の入力部に設けられた入力フィルタコンデンサの電圧Ｖｃが高いときには特性曲線Ｓ１１、Ｓ２１となり、入力フィルタコンデンサの電圧Ｖｃが低いときには特性曲線Ｓ１２、Ｓ２２となる。
【００１７】
図３は、出力電流Ｉが電流規定値Ｉ０を超えた出力電流Ｉ１のときに、欠相が発生した場合の特性図である。この場合、誤差増幅手段１５の出力信号ΔＶはΔＶ１からΔＶ２へ変化しＥ１の増加となる。出力電流Ｉが電流規定値Ｉ０のときに欠相した場合には、誤差増幅手段１５の出力信号ΔＶはＥ０だけ変化する。なお、この場合、欠相の検出を正確にするために、正常時の特性曲線Ｓ１はＳ１２を、欠相似の特性曲線Ｓ２はＳ２１を採用している。
【００１８】
以上のように、出力電流Ｉと誤差増幅手段１５の出力信号ΔＶとの関係波、図２および図３に示した特性であるので、欠相判定ラインＳ０は次のように選定する。図４は欠相判定ラインＳ０の選定の説明図である。欠相判定ラインＳ０は、正常時の特性曲線Ｓ１と欠相時の特性曲線Ｓ２との各々の傾きの半分の傾斜を持つ特性曲線（直線）とする。従って、係数手段１８の出力である規定値εに相当する値は、欠相判定ラインＳ０と交差する値となる。
【００１９】
いま、出力電流ＩがＩ１のときに欠相したとすると、誤差増幅手段１５の出力信号ΔＶは電圧はΔＶ１からΔＶ２へ増加する。この場合、係数手段１８の出力である規定値εに相当する値は、欠相判定ラインＳ０と交差する値ΔＶ３となる。欠相が発生したときには誤差増幅手段１５の出力信号はΔＶ２であり、ΔＶ２はΔＶ３（規定値εに相当）より大きいので、電圧比較手段１７は論理値「１」を出力することになる。
【００２０】
第１の実施の形態によれば、欠相を高周波の電流波形で検知するに代えて、出力電流Ｉが規定値Ｉ０以上のときに、誤差増幅手段１５の出力信号が出力電流に比例する値（規定値ε）以上に一定時間継続して上昇したことにより欠相を検知するので、容易にしかも適正に欠相を検出できる。
【００２１】
次に、本発明の第２の実施の形態を説明する。図５は本発明の第２の実施の形態に係る電力変換装置の制御装置のブロック構成図である。この第２の実施の形態では、ゲートパルス制御部２１の図示を省略している。図５において、電力変換装置であるＤＣ／ＤＣコンバータ１１の出力電流Ｉは電流検出器１２で検出され、出力電圧Ｖは電圧検出器１３で検出される。また、ＤＣ／ＤＣコンバータ１１の入力フィルタコンデンサの入力フィルタコンデンサ電圧Ｖｃは電圧検出器２５で検出される。
【００２２】
出力電流Ｉは電流比較手段１４に入力され電流基準値Ｉ０と比較される。そして、出力電流Ｉが電流基準値Ｉ０未満のときは１を出力し、出力電流Ｉが電流基準値Ｉ０以上となったときは、出力電流Ｉはそのままの値で出力される。電流比較手段１４の出力信号は、動作停止手段１６の除算手段２６および自然対数演算手段２７に出力される。一方、出力電圧Ｖは誤差増幅手段１５に入力され電圧基準値Ｖ０と比較される。そして、その差分に係数を乗算した電圧偏差ΔＶが演算され動作停止手段１６の乗算手段２８に入力される。乗算手段２８には入力フィルタコンデンサ電圧Ｖｃも入力され、誤差増幅手段１５の出力信号ΔＶと入力フィルタコンデンサ電圧Ｖｃとの積を演算し、その出力信号（ΔＶ・Ｖｃ）は電流比較手段１４の出力Ｉで除算する除算手段２６に入力される。除算手段２６では、誤差増幅手段１５の出力信号ΔＶと入力フィルタコンデンサ電圧Ｖｃとの積（ΔＶ・Ｖｃ）を電流比較手段１４の出力Ｉで除算し、（ΔＶ・Ｖｃ）／Ｉを出力する。
【００２３】
電流比較手段１４の出力はさらに自然対数演算手段２７に入力され、係数手段２９で係数を乗算し、その出力から定数設定手段３０に設定された既定値を減算する減算手段３１に入力される。減算手段３１の出力と除算手段２６の出力とが比較手段３２に入力され、除算手段２６の出力が減算手段３１の出力以上の状態が時素要素２０で決まる一定時間以上継続した場合に欠相と判定し、時素要素２０はゲートパルス発生回路の出力停止指令を出力する。
【００２４】
図６は、第２の実施の形態における出力電流Ｉと除算手段２６の出力信号Ｙとの関係を示した特性図である。図６での出力電流Ｉは対数目盛であり、出力電流をＩ、傾きをＫ１、出力電流ＩがＩ０以下のときの定数をＫ２とすると、除算手段２６の出力信号Ｙは下記の（１）式で表される。また、正常時の特性曲線Ｓ１２、欠相時の特性曲線Ｓ２１、欠相判定ラインＳ０はそれぞれ下記の（２）式、（３）式、（４）式で表される。
【００２５】
Ｙ＝Ｋ１・ｌｎ（Ｉ）−Ｋ２　　…（１）
Ｓ１２＝Ｋ１・ｌｎ（Ｉ）−Ｙ１　　…（２）
Ｓ２１＝Ｋ１・ｌｎ（Ｉ）−Ｙ２　　…（３）
Ｓ０＝Ｋ１・ｌｎ（Ｉ）−Ｙ３　　…（４）
ここで、Ｙ１は出力電流Ｉが規定値Ｉ０未満のときの正常時のＹの値、Ｙ２は出力電流Ｉが規定値Ｉ０未満のときの欠相時のＹの値、Ｙ３は出力電流Ｉが規定値Ｉ０未満のときの欠相判定ラインＳ０のＹの値である。
【００２６】
いま、出力電流ＩがＩ０のときに欠相したとすると、除算手段２６の出力信号はＹは、Ｙ１からＹ２へ増加する。減算手段３１の出力信号に相当する欠相判定ラインＳ０の値はＹ３となり、Ｙ３はＹ２より大きいので比較手段３２が論理値「１」を出力し欠相検知が動作する。つまり、除算手段２６の出力が減算手段３１の出力以上の状態が時素要素２０で決まる一定時間以上継続した場合に欠相と判定し、時素要素２０はゲートパルス発生回路の出力停止指令を出力する。
【００２７】
第２の実施の形態によれば、欠相を高周波の電流波形で検知するに代えて、出力電流Ｉが規定値Ｉ０以上のときに、誤差増幅手段１５の出力信号ΔＶと入力フィルタコンデンサ電圧Ｖｃとの積（ΔＶ・Ｖｃ）を出力電流Ｉで除算した値（ΔＶ・Ｖｃ）／Ｉが、出力電流Ｉの自然対数Ｌｎ（Ｉ）に係数Ｋ１を乗算して定数Ｋ２を減算した値（Ｋ１・Ｌｎ（Ｉ）−Ｋ２）で決まる値以上に一定時間継続して上昇したことにより欠相を検知するようにしたので、容易にしかも適正に欠相を検出できる。
【００２８】
次に、本発明の第３の実施の形態を説明する。図７は本発明の第３の実施の形態に係る電力変換装置の制御装置のブロック構成図である。この第３の実施の形態では、ゲートパルス制御部２１の図示を省略している。図７において、電力変換装置であるＤＣ／ＤＣコンバータ１１の出力電流Ｉは電流検出器１２で検出され、出力電圧Ｖは電圧検出器１３で検出される。また、ＤＣ／ＤＣコンバータ１１の入力フィルタコンデンサの入力フィルタコンデンサ電圧Ｖｃは電圧検出器２５で検出される。
【００２９】
出力電流Ｉは電流比較手段１４に入力され電流基準値Ｉ０と比較される。そして、出力電流Ｉが電流基準値Ｉ０未満のときは１を出力し、出力電流Ｉが電流基準値Ｉ０以上となったときは、出力電流Ｉはそのままの値で、動作停止手段１６のべき乗演算手段３３に出力される。一方、出力電圧Ｖは誤差増幅手段１５に入力され電圧基準値Ｖ０と比較される。そして、その差分に係数を乗算した電圧偏差ΔＶが演算され動作停止手段１６の乗算手段２８に入力される。乗算手段２８には入力フィルタコンデンサ電圧Ｖｃも入力され、誤差増幅手段１５の出力信号ΔＶと入力フィルタコンデンサ電圧Ｖｃとの積を演算し、その出力信号（ΔＶ・Ｖｃ）は、べき乗演算手段３３の出力Ｉαで除算する除算手段２６に入力される。除算手段２６では、誤差増幅手段１５の出力信号ΔＶと入力フィルタコンデンサ電圧Ｖｃとの積（ΔＶ・Ｖｃ）をべき乗演算手段３３の出力Ｉαで除算し、（ΔＶ・Ｖｃ）／Ｉαを出力する。
【００３０】
除算手段２６の出力信号Ｙは比較手段３４に入力され、定数設定手段３５に設定された規定値と比較される。そして、比較手段３４は除算手段２６の出力信号Ｙが定数設定手段３５に設定された規定値より大きいときは、論理値「１」の信号を時素要素２０に出力する。時素要素２０は、比較手段３４の出力信号が論理値「１」で一定時間継続した場合に、欠相と判定しゲートパルス発生回路２２の出力を停止する。
【００３１】
図８は、第３の実施の形態における出力電流Ｉと除算手段２６の出力信号Ｙとの関係を示した特性図である。欠相判定ラインＳ０は定数設定手段３５に設定された規定値に相当する。従って、定数設定手段３５には、出力電流Ｉが電流基準値Ｉ０のときの正常時の特性曲線Ｓ１２の値Ｙ１と、出力電流Ｉが電流基準値Ｉ０のときの欠相時の特性曲線Ｓ２１の値Ｙ２との中間の値Ｙ３を規定値として選定する。
【００３２】
いま、出力電流Ｉが電流基準値Ｉ０のときに欠相したとすると、縦軸の除算手段２６の出力信号ＹはＹ１からＹ２へ増加する。規定値に相当する欠相判定ラインＳ０の値はＹ３となり、Ｙ２はＹ３より大きいので比較手段３４は論理値「１」を出力する。その状態が時素要素２０で決まる一定時間継続した場合には欠相と判定し、ゲートパルス発生回路２２の出力を停止する。
【００３３】
第３の実施の形態によれば、欠相を高周波の電流波形で検知するに代えて、出力電流Ｉが規定値Ｉ０以上のときに、誤差増幅手段１５の出力信号ΔＶに入力フィルタコンデンサ電圧Ｖｃを乗算した積（ΔＶ・Ｖｃ）を出力電流Ｉのべき乗αのべき乗値Ｉαで除算した値（ΔＶ・Ｖｃ）／Ｉαが規定値以上に一定時間継続して上昇したことにより欠相を検知するようにしたので、容易にしかも適正に欠相を検出できる。
【００３４】
次に、本発明の第４の実施の形態を説明する。図９は本発明の第４の実施の形態に係る電力変換装置の制御装置のブロック構成図である。この第４の実施の形態では、ゲートパルス制御部２１の図示を省略している。図９において、電力変換装置であるＤＣ／ＤＣコンバータ１１の出力電流Ｉは電流検出器１２で検出され、出力電圧Ｖは電圧検出器１３で検出される。
【００３５】
出力電流Ｉは電流比較手段１４に入力され電流基準値Ｉ０と比較される。そして、出力電流Ｉが電流基準値Ｉ０未満のときは１を出力し、出力電流Ｉが電流基準値Ｉ０以上となったときは、出力電流Ｉはそのままの値で、動作停止手段１６の除算手段２６に出力される。一方、出力電圧Ｖは誤差増幅手段１５に入力され電圧基準値Ｖ０と比較される。そして、その差分に係数を乗算した電圧偏差ΔＶが演算され動作停止手段１６の除算手段２６に入力される。除算手段２６では、誤差増幅手段１５の出力信号ΔＶとを電流比較手段１４の出力Ｉで除算し、（ΔＶ／Ｉ）を出力する。
【００３６】
除算手段２６の出力信号Ｙは比較手段３４に入力され、定数設定手段３５に設定された規定値と比較される。そして、比較手段３４は除算手段２６の出力信号Ｙが定数設定手段３５に設定された規定値より大きいときは、論理値「１」の信号を時素要素２０に出力する。時素要素２０は、比較手段３４の出力信号が論理値「１」で一定時間継続した場合に、欠相と判定しゲートパルス発生回路２２の出力を停止する。
【００３７】
図１０は、第４の実施の形態における出力電流Ｉと除算手段２６の出力信号Ｙとの関係を示した特性図である。欠相判定ラインＳ０は定数設定手段３５に設定された規定値に相当する。従って、定数設定手段３５には、出力電流Ｉが電流基準値Ｉ０のときの正常時の特性曲線Ｓ１２の値Ｙ１と、出力電流Ｉが電流基準値Ｉ０のときの欠相時の特性曲線Ｓ２１の値Ｙ２との中間の値Ｙ３を規定値として選定する。
【００３８】
いま、出力電流Ｉが電流基準値Ｉ０のときに欠相したとすると、縦軸の除算手段２６の出力信号Ｙは、Ｙ１からＹ２へ増加する。規定値に相当する欠相判定ラインＳ０の値はＹ３となり、Ｙ２はＹ３より大きいので比較手段３４は論理値「１」を出力する。その状態が時素要素２０で決まる一定時間継続した場合には欠相と判定し、ゲートパルス発生回路２２の出力を停止する。
【００３９】
第４の実施の形態によれば、欠相を高周波の電流波形で検知するに代えて、出力電流Ｉが規定値Ｉ０以上のときに、誤差増幅手段１５の出力信号ΔＶを出力電流Ｉで除算した値（ΔＶ／Ｉ）が規定値以上に一定時間継続して上昇したことにより欠相を検知するようにしたので、容易にしかも適正に欠相を検出できる。
【００４０】
【発明の効果】
以上述べたように、本発明によれば、欠相を高周波の電流波形で検知することに代えて、直流電圧と基準電圧値との電圧偏差で欠相を検出するようにしたので、欠相検出を容易に検出できる。
【図面の簡単な説明】
【図１】
本発明の第１の実施の形態に係る電力変換装置の制御装置のブロック構成図。
【図２】本発明の第１の実施の形態における出力電流と誤差増幅手段の出力信号との関係を示した特性図。
【図３】本発明の第１の実施の形態における出力電流が電流規定値を超えた出力電流のときに欠相が発生した場合の特性図。
【図４】本発明の第１の実施の形態における欠相判定ラインの選定の説明図。
【図５】本発明の第２の実施の形態に係る電力変換装置の制御装置のブロック構成図。
【図６】本発明の第２の実施の形態における出力電流と除算手段の出力信号との関係を示した特性図。
【図７】本発明の第３の実施の形態に係る電力変換装置の制御装置のブロック構成図。
【図８】本発明の第３の実施の形態における出力電流と除算手段の出力信号との関係を示した特性図。
【図９】本発明の第４の実施の形態に係る電力変換装置の制御装置のブロック構成図。
【図１０】本発明の第４の実施の形態における出力電流と除算手段の出力信号との関係を示した特性図。
【符号の説明】
１１…ＤＣ／ＤＣコンバータ、１２…電流検出器、１３…電圧検出器、１４…電流比較手段、１５…誤差増幅手段、１６…動作停止手段、１７…電圧比較手段、１８…係数手段、１９…ＡＮＤ要素、２０…時素要素、２１…ゲートパルス制御部、２２…ゲートパルス発生回路、２３…鋸波状電圧発生回路、２４…比較回路、２５…電圧検出器、２６…除算手段、２７…自然対数演算手段、２８…乗算手段、２９…係数手段、３０…定数設定手段、３１…減算手段、３２…比較手段、３３…べき乗演算手段、３４…比較手段、３５…定数設定手段
【図１】
2004088894.tif 000003
【図２】
2004088894.tif 000004
【図３】
2004088894.tif 000005
【図４】
2004088894.tif 000006
【図５】
2004088894.tif 000007
【図６】
2004088894.tif 000008
【図７】
2004088894.tif 000009
【図８】
2004088894.tif 000010
【図９】
2004088894.tif 000011
【図１０】
2004088894.tif 000012